(57)【特許請求の範囲】
【請求項１】
第１位置又は第２位置に移動可能な可動部を有するリモコン装置であって、
前記可動部が前記第１位置の場合に露出している第１操作部と、
前記可動部が前記第１位置の場合に遮蔽され、前記第２位置の場合に露出する第２操作部と、
第１方向へ信号を送信する第１送信部と、
第２方向へ信号を送信する第２送信部と、
前記第１操作部又は前記第２操作部のいずれが操作されたかに応じて、前記第１送信部及び／又は前記第２送信部の送信強度を制御する制御部と、を備え、
前記第１送信部は、前記可動部に固定されているリモコン装置。
【請求項２】
第１位置又は第２位置に移動可能な可動部を有するリモコン装置であって、
前記可動部が前記第１位置の場合に露出している第１操作部と、
前記可動部が前記第１位置の場合に遮蔽され、前記第２位置の場合に露出する第２操作部と、
第１方向へ信号を送信する第１送信部と、
第２方向へ信号を送信する第２送信部と、
前記第１操作部又は前記第２操作部のいずれが操作されたかに応じて、前記第１送信部及び／又は前記第２送信部の送信強度を制御する制御部と、を備え、
前記第１送信部は、前記可動部が前記第２位置の場合に遮蔽されるリモコン装置。
【請求項３】
前記第２送信部は、前記可動部が前記第１位置の場合に遮蔽され、前記第２位置の場合に露出する請求項１又は請求項２に記載のリモコン装置。
【請求項４】
第１位置又は第２位置に移動可能な可動部を有するリモコン装置であって、
前記可動部が前記第１位置の場合に露出している第１操作部と、
前記可動部が前記第１位置の場合に遮蔽され、前記第２位置の場合に露出する第２操作部と、
第１方向へ信号を送信する第１送信部と、
第２方向へ信号を送信する第２送信部と、
前記第１操作部又は前記第２操作部のいずれが操作されたかに応じて、前記第１送信部及び／又は前記第２送信部の送信強度を制御する制御部と、を備え、
前記第２送信部は、前記可動部が前記第１位置の場合に遮蔽され、前記第２位置の場合に露出するリモコン装置。
【請求項５】
前記第１送信部は、受信部へ直接向かう方向へ信号を送信し、
前記第２送信部は、反射して前記受信部へ向かう方向へ信号を送信し、
前記制御部は、前記第１操作部が操作された場合、前記第２送信部の送信強度を低下させる請求項１から請求項４のいずれかに記載のリモコン装置。
【請求項６】
前記第１送信部は、受信部へ直接向かう方向へ信号を送信し、
前記第２送信部は、反射して前記受信部へ向かう方向へ信号を送信し、
前記制御部は、前記第２操作部が操作された場合、前記第１送信部の送信強度を低下させる請求項１から請求項５のいずれかに記載のリモコン装置。
【発明の詳細な説明】
【技術分野】
【０００１】
本発明は、可動式のリモコン装置に関する。
【背景技術】
【０００２】
従来、便器装置を操作するためのリモコンがトイレルームの壁等に設置されている。ヒータ及びシャワー等の各種機能が付加され多機能になるにつれて、これらを設定するためのリモコンの操作ボタンは増加している。このような状況において、利用者による操作の利便性を向上させるため、又は配置スペースの制約によって、多用されないボタン群が配置された副操作部が、通常は見えないように収納し、必要に応じて引き出して操作できるように、設計される場合がある。例えば、トイレルーム内の設備、例えば棚及びペーパーホルダ等と一体になったリモコンの場合には、可動式の副操作部によって省スペース化が図られている（例えば、特許文献１参照）。
【０００３】
このような可動式のリモコンを使用する場合、リモコンのボタン操作に応じて、制御信号を送信する発光部も移動するため、発光部、受光部及び利用者の位置関係よっては、受光部で信号を受信できず操作性が低下する場合がある。
【先行技術文献】
【特許文献】
【０００４】
【特許文献１】特開２００１−５５７７４号公報
【発明の概要】
【発明が解決しようとする課題】
【０００５】
特許文献１の技術では、副操作部が引き出されたことにより、リモコンの送信部から便器装置の受信部までの赤外光の経路が利用者の体に遮られる場合がある。この場合、リモコンは、受信部まで届かない信号を送信して電池を消耗させてしまう。
【０００６】
本発明は、制御信号を効率的に送信できる可動式のリモコン装置を提供することを目的とする。
【課題を解決するための手段】
【０００７】
本発明に係るリモコン装置は、第１位置又は第２位置に移動可能な可動部を有し、前記可動部が前記第１位置の場合に露出している第１操作部と、前記可動部が前記第１位置の場合に遮蔽され、前記第２位置の場合に露出する第２操作部と、第１方向へ信号を送信する第１送信部と、第２方向へ信号を送信する第２送信部と、前記第１操作部又は前記第２操作部のいずれが操作されたかに応じて、前記第１送信部及び／又は前記第２送信部の送信強度を制御する制御部と、を備える。
【０００８】
前記第１送信部は、受信部へ直接向かう方向へ信号を送信し、前記第２送信部は、反射して前記受信部へ向かう方向へ信号を送信し、前記制御部は、前記第１操作部が操作された場合、前記第２送信部の送信強度を低下させてもよい。
【０００９】
前記第１送信部は、受信部へ直接向かう方向へ信号を送信し、前記第２送信部は、反射して前記受信部へ向かう方向へ信号を送信し、前記制御部は、前記第２操作部が操作された場合、前記第１送信部の送信強度を低下させてもよい。
【００１０】
前記第１送信部は、前記可動部に固定されていてもよい。
【００１１】
前記第１送信部は、前記可動部が前記第２位置の場合に遮蔽されてもよい。
【００１２】
前記第２送信部は、前記可動部が前記第１位置の場合に遮蔽され、前記第２位置の場合に露出してもよい。
【発明の効果】
【００１３】
本発明によれば、可動式のリモコン装置から制御信号を効率的に送信できる。
【図面の簡単な説明】
【００１４】
【図１】実施形態に係るリモコン及び便器装置の配置例を示す図である。
【図２】実施形態に係るリモコンの外観を示す図である。
【図３】実施形態に係るリモコンの利用時の様子を示す図である。
【図４】実施形態に係るリモコンの機能構成を示す図である。
【図５】実施形態に係る制御部を構成する回路を例示する図である。
【図６】変形に係るリモコンの外観を示す図である。
【発明を実施するための形態】
【００１５】
以下、本発明の実施形態の一例について説明する。
図１は、本実施形態に係るリモコン１及び便器装置２のトイレルームにおける配置例を示す図である。
【００１６】
リモコン１は、便器装置２の各種機能を制御するための信号を赤外光により送信する電子機器であり、壁面の棚及びペーパーホルダ等と一体になったリモコン装置を構成している。
リモコン１から送信された信号は、便器装置２に設けられた１又は複数の受信部によって受信される。
【００１７】
このとき、リモコン１からは複数の経路で信号が送信される。複数の経路は、例えば便器装置２の受信部へ直接向かう横方向（第１方向）と、トイレルーム内での赤外光の反射によって受光部へ向かう上方向（第２方向）とを含む。便器装置２は、いずれかの経路が利用者等により遮られた場合にも、他の経路から信号を受信できる。
【００１８】
図２は、本実施形態に係るリモコン１の外観を示す図である。
リモコン１は、壁面に固定された棚部３に格納される可動部４を備えている。可動部４には、使用頻度の高い主要なボタン等からなる主操作部１１（第１操作部）と、使用頻度の低い副操作部１２（第２操作部）とが設けられている。
【００１９】
可動部４は、主操作部が露出した状態で副操作部１２が棚部３によって遮蔽された第１位置（ａ）と、副操作部１２が棚部３から引き出されて露出した第２位置（ｂ）とを、相互に移動できる。
可動部４には、発光窓２０ａ及び発光窓２０ｂが設けられ、それぞれの内部に１種類ずつ、赤外線の発光体２１（第１送信部）及び発光体２２（第２送信部）が互いに異なる方向へ信号を送信するように１つ以上固定されており、可動部４の移動に伴って同様に移動する。
本実施形態では、発光体２１（第１送信部）が可動部４の底面に配置された発光窓２０ａの内部に設けられ、便器装置２の受信部へ直接向かう横方向へ信号を送信し、発光体２２（第２送信部）が可動部４の正面に配置された発光窓２０ｂの内部に設けられ、トイレルーム内の天井や壁に反射して便器装置２の受信部へ向かう上方向へ信号を送信する。
【００２０】
図３は、本実施形態に係るリモコン１の利用時の様子を示す図である。
図中の矢印は、発光体２１から便器装置２の受信部へ直接向かう横方向の赤外線の経路を示している。
【００２１】
可動部４が第１位置の場合、実線矢印のように、発光体２１から送信された信号は遮られることなく受信部へ到達するが、可動部４が第２位置の場合、破線矢印のように、発光体２１から送信された信号は利用者の体に遮られ、受信部へ到達し難い。
そこで、リモコン１は、後述の制御部３０によって、送信する信号の強度、すなわち赤外線の発光強度を発光体毎に制御し、不要な方向への信号送信を抑制する。
【００２２】
図４は、本実施形態に係るリモコン１の機能構成を示す図である。
リモコン１は、主操作部１１と、副操作部１２と、発光体２１（第１送信部）と、発光体２２（第２送信部）と、制御部３０とを備える。
【００２３】
制御部３０は、主操作部１１又は副操作部１２への操作入力を受け取り、入力に対応した信号を決定し、発光体２１及び発光体２２を制御して信号を送信する。このとき、制御部３０は、主操作部１１又は副操作部１２のいずれが操作されたかを判定し、判定結果に応じて、発光体２１及び発光体２２の発光強度を制御する。
【００２４】
図５は、本実施形態に係る制御部３０を構成する、発光体２１及び発光体２２を制御するための回路を例示する図である。
横向きの発光体２１と上向きの発光体２２とは、それぞれＦＥＴ（Ｆｉｅｌｄ  Ｅｆｆｅｃｔ  Ｔｒａｎｓｉｓｔｏｒ）スイッチ（３１又は３２）を介して電流が調整される発光ダイオードである。ＦＥＴをＯＮにすると、抵抗がバイパスされ、発光ダイオードに流れる電流が大きくなることにより、発光強度が大きくなる。
【００２５】
ここで、発光体２１（第１送信部）は、便器装置２の受信部へ直接向かう横方向へ信号を送信し、発光体２２（第２送信部）は、反射して便器装置２の受信部へ向かう上方向へ信号を送信する。
制御部３０は、主操作部１１が操作された場合、横方向への信号の送信が効率的であるため、発光体２２（第２送信部）の送信強度を低下させる。一方、副操作部１２が操作された場合、横方向へ送信された信号が遮られる可能性が高いため、制御部３０は、発光体２１（第１送信部）の送信強度を低下させる。
【００２６】
本実施形態によれば、リモコン１は、主操作部１１又は副操作部１２のいずれが操作されたかに応じて送信部が固定された可動部４の位置（第１位置又は第２位置）を判断し、送信部の位置に応じた最適な信号の経路を選択して、それぞれの信号の強度を調整する。
これにより、リモコン１は、着脱又は姿勢等の状態検知のための部品を追加で設けることなく、コストアップを抑えて、制御信号を効率的に送信できる。
【００２７】
リモコン１は、主操作部１１が操作された場合、受信部へ最も効率良く信号を送信できる横方向の発光体２１を主に用い、上方向の発光体２２の強度を低下させる。また、リモコン１は、副操作部１２が操作された場合、横方向の経路は利用者によって遮られるため、反射光によって受信部へ信号を送信できる上方向の発光体２２を主に用い、横方向の発光体２１の強度を低下させる。
これにより、リモコン１は、複数の信号経路のうち効率の良い側の経路を選択し、他の経路の強度を低下させることにより電力消費を抑えられる。特に、上方向の経路は、反射を利用するため、通常は横方向よりも発光強度を強くしてある。したがって、使用頻度の高い第１位置において上方向の発光体２２の強度を低下させることにより、リモコン１は、電力消費を大幅に抑えられ、電池の消耗を抑制できる。
【００２８】
リモコン１は、発光体２１（第１送信部）が可動部４に固定されているため、第１位置から第２位置へ可動部４が移動すると信号の送信元の位置も移動する。そこで、リモコン１は、第２位置で副操作部１２が操作された場合に、信号の経路が遮られると判断し、信号の送信経路を切り替えることにより、複数の経路で電力を消費することを抑制できる。
【００２９】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００３０】
発光体２１（第１送信部）は、可動部４が第２位置に移動した場合に、向きが変わる、又はこの可動部４に覆われて遮蔽される場所に設けられてもよい。この場合にも、前述の実施形態と同様に、可動部４が第２位置であれば発光体２２により信号を送信する方が便器装置２における受信確度が高まる。したがって、制御部３０は、第１位置において発光体２２の発光強度を低下させて発光体２１により信号を送信し、第２位置において発光体２１の発光強度を低下させて発光体２２により信号を送信する制御により、電力消費を抑えて効率的に信号を送信できる。
【００３１】
また、発光体２２（第２送信部）は、図６に示すように、可動部４が第１位置の場合に遮蔽され、第２位置の場合に露出する場所に設けられてもよい。具体的には、可動部４が第１位置において、発光体２２が収められた発光窓２０ｂは、副操作部１２と同様に棚部３に隠蔽されてもよい。この場合、可動部４が第１位置のとき発光体２２から送信される信号は遮られる。したがって、制御部３０は、第１位置において発光体２２の発光強度を低下させて発光体２１により信号を送信し、第２位置において発光体２１の発光強度を低下させて発光体２２により信号を送信する制御により、電力消費を抑えて効率的に信号を送信できる。
【００３２】
制御部３０は、いずれかの経路における信号の強度を低下させることにより信号送信の効率化を図ったが、より確実に信号を便器装置２の受信部へ届けるために、強度を低下させない経路における信号の強度を高めるように制御してもよい。
【００３３】
また、制御部３０は、主操作部１１又は副操作部１２のいずれが操作されたかに応じて、信号の強度を切り替えたが、この切り替えの設定は、個々の操作ボタン毎に記憶されてもよい。
さらに、前述の制御回路（図５）は一例であり、信号の強弱又は有無を切り替え可能であればよい。
【００３４】
リモコン１は、赤外光により信号を送信することとしたが、これには限られない。リモコン１と便器装置２との間の通信プロトコルには、種々の既存の無線通信規格が適用可能である。
【符号の説明】
【００３５】
１  リモコン
２  便器装置
３  棚部
４  可動部
１１  主操作部（第１操作部）
１２  副操作部（第２操作部）
２１  発光体（第１送信部）
２２  発光体（第２送信部）
３０  制御部
【図１】
0006573815.tif 000002
【図２】
0006573815.tif 000003
【図３】
0006573815.tif 000004
【図４】
0006573815.tif 000005
【図５】
0006573815.tif 000006
【図６】
0006573815.tif 000007